(57)【要約】【課題】多点の全ての点での詳細な合焦状態を表示できるようにし、かつ合焦枠の表示を見易くする撮像装置を提供する。【解決手段】被写体との距離を測定可能な１つ以上の測距点を持ち、該測距点に対応した表示が可能な表示手段２８を有する。制御手段５０は測距点の全点で測距を行い、その測距結果に基づいて測距点の内から合焦点を選択して、合焦点を表示手段２８に表示する。合焦点と測距結果が同じになる測距点も表示手段２８に表示される。合焦点の表示と、合焦点と測距結果が同じになる測距点の表示は、異なる表示である。【選択図】　　　　図１
2004096641.tif 000002
【特許請求の範囲】
【請求項１】
被写体との距離を測定可能な１つ以上の測距点を持ち、該測距点に対応した表示が可能な表示手段を有する撮像装置であって、
制御手段は上記測距点の全点で測距を行い、その測距結果に基づいて上記測距点の内から合焦点を選択して、上記合焦点を上記表示手段に表示し、上記合焦点と測距結果が同じになる測距点も上記表示手段に表示されることを特徴とする撮像装置。
【請求項２】
上記合焦点の表示と、上記合焦点と測距結果が同じになる測距点の表示は、異なる表示であることを特徴とする請求項１記載の撮像装置。
【請求項３】
上記合焦点の表示と、上記合焦点と測距結果が同じになる測距点の表示は、同一表示であり、上記測距結果が上記合焦点よりも近側になる測距点の表示と、上記測距結果が上記合焦点よりも遠側になる測距点の表示とは、異なる表示であることを特徴とする請求項１記載の撮像装置。
【請求項４】
上記合焦点の表示と、上記合焦点と測距結果が同じになる測距点の表示と、上記測距結果が近側になる測距点の表示と、上記測距結果が遠側になる測距点の表示は、任意の期間表示した後に変更または消灯されることを特徴とする請求項１〜３のいずれか１項記載の撮像装置。
【請求項５】
上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする請求項３又は４記載の撮像装置。
【請求項６】
上記異なる表示とは表示する線の太さ、種類、濃さ又は色が異なる表示であることを特徴とする請求項２又は３記載の撮像装置。
【請求項７】
上記異なる表示とは表示する面の種類、濃さ又は色が異なる表示であることを特徴とする請求項２又は３記載の撮像装置。
【請求項８】
被写体との距離を測定可能な１つ以上の測距点を持ち、該測距点に対応した表示が可能な表示手段を有する撮像装置であって、
上記表示手段は上記測距点の表示を行い、制御手段は上記測距点の全点で測距を行い、その測距結果に基づいて上記測距点の内から合焦点を選択して、上記合焦点は上記表示手段にて表示を変更され、上記合焦点と測距結果が同じになる測距点も上記表示手段にて表示を変更されることを特徴とする撮像装置。
【請求項９】
上記合焦点の表示と、上記合焦点と測距結果が同じになる測距点の表示は、同一表示に変更し、上記測距結果が上記合焦点よりも近側になる測距点の表示と、上記測距結果が上記合焦点よりも遠側になる測距点の表示とは、異なる表示に変更されることを特徴とする請求項８記載の撮像装置。
【請求項１０】
上記合焦点の表示と、上記合焦点と測距結果が同じになる測距点の表示と、上記測距結果が近側になる測距点の表示と、上記測距結果が遠側になる測距点の表示は、任意の期間表示した後に変更又は消灯されることを特徴とする請求項８又は９記載の撮像装置。
【請求項１１】
上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする請求項９又は１０記載の撮像装置。
【請求項１２】
上記異なる表示とは表示する線の太さ、種類、濃さ又は色が異なる表示であることを特徴とする請求項９〜１１のいずれか１項記載の撮像装置。
【請求項１３】
上記異なる表示とは表示する面の種類、濃さ、又は色が異なる表示であることを特徴とする請求項９〜１１のいずれか１項記載の撮像装置。
【請求項１４】
被写体との距離を測定可能な１つ以上の測距点を持ち、該測距点に対応した表示が可能な表示手段を有する撮像装置の制御方法であって、
上記測距点の全点で測距を行い、その測距結果に基づいて上記測距点の内から合焦点を選択して、上記合焦点を上記表示手段に表示し、上記合焦点と測距結果が同じになる測距点も上記表示手段に表示されるように制御することを特徴とする撮像装置の制御方法。
【請求項１５】
上記合焦点の表示と、上記合焦点と測距結果が同じになる測距点の表示は、異なる表示であることを特徴とする請求項１４記載の撮像装置の制御方法。
【請求項１６】
上記合焦点の表示と、上記合焦点と測距結果が同じになる測距点の表示は、同一表示であり、上記測距結果が上記合焦点よりも近側になる測距点の表示と、上記測距結果が上記合焦点よりも遠側になる測距点の表示とは、異なる表示であることを特徴とする請求項１４記載の撮像装置の制御方法。
【請求項１７】
上記合焦点の表示と、上記合焦点と測距結果が同じになる測距点の表示と、上記測距結果が近側になる測距点の表示と、上記測距結果が遠側になる測距点の表示は、任意の期間表示した後に変更または消灯されることを特徴とする請求項１４〜１６のいずれか１項記載の撮像装置の制御方法。
【請求項１８】
上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする請求項１６又は１７記載の撮像装置の制御方法。
【請求項１９】
上記異なる表示とは表示する線の太さ、種類、濃さ又は色が異なる表示であることを特徴とする請求項１５又は１６記載の撮像装置の制御方法。
【請求項２０】
上記異なる表示とは表示する面の種類、濃さ又は色が異なる表示であることを特徴とする請求項１５又は１６記載の撮像装置の制御方法。
【請求項２１】
被写体との距離を測定可能な１つ以上の測距点を持ち、該測距点に対応した表示が可能な表示手段を有する撮像装置の制御方法であって、
上記表示手段が上記測距点の表示を行い、上記測距点の全点で測距を行い、その測距結果に基づいて上記測距点の内から合焦点を選択して、上記合焦点は上記表示手段にて表示を変更され、上記合焦点と測距結果が同じになる測距点も上記表示手段にて表示を変更されるように制御することを特徴とする撮像装置の制御方法。
【請求項２２】
上記合焦点の表示と、上記合焦点と測距結果が同じになる測距点の表示は、同一表示に変更し、上記測距結果が上記合焦点よりも近側になる測距点の表示と、上記測距結果が上記合焦点よりも遠側になる測距点の表示とは、異なる表示に変更されることを特徴とする請求項２１記載の撮像装置の制御方法。
【請求項２３】
上記合焦点の表示と、上記合焦点と測距結果が同じになる測距点の表示と、上記測距結果が近側になる測距点の表示と、上記測距結果が遠側になる測距点の表示は、任意の期間表示した後に変更又は消灯されることを特徴とする請求項２１又は２２記載の撮像装置の制御方法。
【請求項２４】
上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする請求項２２又は２３記載の撮像装置の制御方法。
【請求項２５】
上記異なる表示とは表示する線の太さ、種類、濃さ又は色が異なる表示であることを特徴とする請求項２２〜２４のいずれか１項記載の撮像装置の制御方法。
【請求項２６】
上記異なる表示とは表示する面の種類、濃さ、又は色が異なる表示であることを特徴とする請求項２２〜２４のいずれか１項記載の撮像装置の制御方法。
【請求項２７】
請求項１〜１３のいずれか１項に記載の各手段としてコンピュータを機能させるためのプログラムを格納したコンピュータ読取り可能な記憶媒体。
【請求項２８】
請求項１４〜２６に記載の方法の処理手順を実行させるためのプログラムを格納したコンピュータ読取り可能な記憶媒体。
【発明の詳細な説明】
【０００１】
【発明の属する技術分野】
本発明は、撮像装置特に多点オートフォーカス（ＡＦ）を行なうデジタルカメラに関する。
【０００２】
【従来の技術】
従来、多点ＡＦを行うカメラにおいて、たとえば特開２００２−０７２３３１号公報に開示されるように、合焦した点を表示している。
一方、レリーズボタン半押し後に、複数の測距エリアのうち合焦したエリアが表示され、レリーズボタン押し切り後に消灯するようしたものがある。
さらに、特開２００２−０７２３３１号公報には、フォーカスエイドを行う場合の表示方法が開示されている。
【０００３】
【特許文献１】
特開２００２−０７２３３１号公報
【０００４】
【発明が解決しようとする課題】
しかしながら、従来方式では多点のどの点が合焦であるかを表示していても、どの点がジャストピントであるか、またはどの点が前ピンあるいは後ピンであるか等の詳細な合焦状態までは表示できていなかった。
【０００５】
また、従来方式でも、フォーカスエイド表示とすることで、多点のうちの選択した１点における詳細な合焦状態は表示できても、同時期にその他の点での合焦状態は表示できていなかった（特許文献１参照）。そのためユーザーには、詳細な合焦状態表示の無い点のピントがどうなっているのか判断できなかった。
【０００６】
そこで、本発明は、このような不都合を解消し、多点の全ての点での詳細な合焦状態を表示できるようにし、かつ合焦枠の表示を見易くすることで、ユーザーが撮影被写体に集中できるようした撮像装置を提供することを目的とする。
【０００７】
【課題を解決するための手段】
本発明の撮像装置は、被写体との距離を測定可能な１つ以上の測距点を持ち、該測距点に対応した表示が可能な表示手段を有する撮像装置であって、制御手段は上記測距点の全点で測距を行い、その測距結果に基づいて上記測距点の内から合焦点を選択して、上記合焦点を上記表示手段に表示し、上記合焦点と測距結果が同じになる測距点も上記表示手段に表示されることを特徴とする。
【０００８】
また、本発明の撮像装置において、上記合焦点の表示と、上記合焦点と測距結果が同じになる測距点の表示は、異なる表示であることを特徴とする。
【０００９】
また、本発明の撮像装置において、上記合焦点の表示と、上記合焦点と測距結果が同じになる測距点の表示は、同一表示であり、上記測距結果が上記合焦点よりも近側になる測距点の表示と、上記測距結果が上記合焦点よりも遠側になる測距点の表示とは、異なる表示であることを特徴とする。
【００１０】
また、本発明の撮像装置において、上記合焦点の表示と、上記合焦点と測距結果が同じになる測距点の表示と、上記測距結果が近側になる測距点の表示と、上記測距結果が遠側になる測距点の表示は、任意の期間表示した後に変更または消灯されることを特徴とする。
【００１１】
また、本発明の撮像装置において、上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする。
【００１２】
また、本発明の撮像装置において、上記異なる表示とは表示する線の太さ、種類、濃さ又は色が異なる表示であることを特徴とする。
【００１３】
また、本発明の撮像装置において、上記異なる表示とは表示する面の種類、濃さ又は色が異なる表示であることを特徴とする。
【００１４】
また、本発明の撮像装置は、被写体との距離を測定可能な１つ以上の測距点を持ち、該測距点に対応した表示が可能な表示手段を有する撮像装置であって、上記表示手段は上記測距点の表示を行い、制御手段は上記測距点の全点で測距を行い、その測距結果に基づいて上記測距点の内から合焦点を選択して、上記合焦点は上記表示手段にて表示を変更され、上記合焦点と測距結果が同じになる測距点も上記表示手段にて表示を変更されることを特徴とする。
【００１５】
また、本発明の撮像装置において、上記合焦点の表示と、上記合焦点と測距結果が同じになる測距点の表示は、同一表示に変更し、上記測距結果が上記合焦点よりも近側になる測距点の表示と、上記測距結果が上記合焦点よりも遠側になる測距点の表示とは、異なる表示に変更されることを特徴とする。
【００１６】
また、本発明の撮像装置において、上記合焦点の表示と、上記合焦点と測距結果が同じになる測距点の表示と、上記測距結果が近側になる測距点の表示と、上記測距結果が遠側になる測距点の表示は、任意の期間表示した後に変更又は消灯されることを特徴とする。
【００１７】
また、本発明の撮像装置において、上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする。
【００１８】
また、本発明の撮像装置において、上記異なる表示とは表示する線の太さ、種類、濃さ又は色が異なる表示であることを特徴とする。
【００１９】
また、本発明の撮像装置において、上記異なる表示とは表示する面の種類、濃さ、又は色が異なる表示であることを特徴とする。
【００２０】
また、本発明の撮像装置の制御方法は、被写体との距離を測定可能な１つ以上の測距点を持ち、該測距点に対応した表示が可能な表示手段を有する撮像装置の制御方法であって、上記測距点の全点で測距を行い、その測距結果に基づいて上記測距点の内から合焦点を選択して、上記合焦点を上記表示手段に表示し、上記合焦点と測距結果が同じになる測距点も上記表示手段に表示されるように制御することを特徴とする。
【００２１】
また、本発明の撮像装置の制御方法において、上記合焦点の表示と、上記合焦点と測距結果が同じになる測距点の表示は、異なる表示であることを特徴とする。
【００２２】
また、本発明の撮像装置の制御方法において、上記合焦点の表示と、上記合焦点と測距結果が同じになる測距点の表示は、同一表示であり、上記測距結果が上記合焦点よりも近側になる測距点の表示と、上記測距結果が上記合焦点よりも遠側になる測距点の表示とは、異なる表示であることを特徴とする。
【００２３】
また、本発明の撮像装置の制御方法において、上記合焦点の表示と、上記合焦点と測距結果が同じになる測距点の表示と、上記測距結果が近側になる測距点の表示と、上記測距結果が遠側になる測距点の表示は、任意の期間表示した後に変更または消灯されることを特徴とする。
【００２４】
また、本発明の撮像装置の制御方法において、上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする。
【００２５】
また、本発明の撮像装置の制御方法において、上記異なる表示とは表示する線の太さ、種類、濃さ又は色が異なる表示であることを特徴とする。
【００２６】
また、本発明の撮像装置の制御方法において、上記異なる表示とは表示する面の種類、濃さ又は色が異なる表示であることを特徴とする。
【００２７】
また、本発明の撮像装置の制御方法は、被写体との距離を測定可能な１つ以上の測距点を持ち、該測距点に対応した表示が可能な表示手段を有する撮像装置の制御方法であって、上記表示手段が上記測距点の表示を行い、上記測距点の全点で測距を行い、その測距結果に基づいて上記測距点の内から合焦点を選択して、上記合焦点は上記表示手段にて表示を変更され、上記合焦点と測距結果が同じになる測距点も上記表示手段にて表示を変更されるように制御することを特徴とする。
【００２８】
また、本発明の撮像装置の制御方法において、上記合焦点の表示と、上記合焦点と測距結果が同じになる測距点の表示は、同一表示に変更し、上記測距結果が上記合焦点よりも近側になる測距点の表示と、上記測距結果が上記合焦点よりも遠側になる測距点の表示とは、異なる表示に変更されることを特徴とする。
【００２９】
また、本発明の撮像装置の制御方法において、上記合焦点の表示と、上記合焦点と測距結果が同じになる測距点の表示と、上記測距結果が近側になる測距点の表示と、上記測距結果が遠側になる測距点の表示は、任意の期間表示した後に変更又は消灯されることを特徴とする。
【００３０】
また、本発明の撮像装置の制御方法において、上記合焦点の表示の有無、上記合焦点と測距結果が同じになる測距点の表示の有無、上記測距結果が近側になる測距点の表示の有無、上記測距結果が遠側になる測距点の表示の有無及び上記任意の期間のいずれか又はそれぞれは、ユーザーによって設定可能であることを特徴とする。
【００３１】
また、本発明の撮像装置の制御方法において、上記異なる表示とは表示する線の太さ、種類、濃さ又は色が異なる表示であることを特徴とする。
【００３２】
また、本発明の撮像装置の制御方法において、上記異なる表示とは表示する面の種類、濃さ、又は色が異なる表示であることを特徴とする。
【００３３】
また、本発明の記憶媒体は、上記いずれかの各手段としてコンピュータを機能させるためのプログラムを格納したコンピュータ読取り可能な記憶媒体である。
また、本発明の記憶媒体は、上記処理手順を実行させるためのプログラムを格納したコンピュータ読取り可能な記憶媒体である。
【００３４】
本発明によれば、被写体との距離を測定可能な１つ以上の測距点で測距を行い、測距結果に基づいて合焦点を選択し、合焦点及び合焦点と測距結果が同じになる測距点を表示して、ピントの合う点をユーザーに知らせる。また、測距結果が合焦点よりも近側になる測距点の表示と、合焦点よりも遠側になる測距点の表示を、合焦点表示と異なる表示で表示することでユーザーに分かり易くする。
また、タイマー手段により、合焦表示を任意の期間だけ表示できるようにすることで、合焦確認後はファインダーに集中できるようにする。
【００３５】
【発明の実施の形態】
以下、図面を参照して本発明の好適な実施の形態を説明する。
（第１の実施形態）
図１は、本発明の実施形態の構成を示す図である。図１において、１００は画像処理装置である。１０は撮影レンズ、１２は絞り及びシャッター機能を備える露光制御装置、１４は光学像を電気信号に変換する撮像素子であり、システム制御回路５０の制御で感度を変更できるようになっている。
【００３６】
１６は撮像素子１４のアナログ信号出力をディジタル信号に変換するＡ／Ｄ変換器である。
１８は撮像素子１４、　Ａ／Ｄ変換器１６、　Ｄ／Ａ変換器２６にクロック信号や制御信号を供給するタイミング発生回路であり、メモリ制御回路２２及びシステム制御回路５０により制御される。
【００３７】
２０は画像処理回路であり、Ａ／Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００３８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３９】
２４は画像表示メモリ、２６はＤ／Ａ変換器、２８はＴＦＴＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８は、システム制御回路５０の指示により任意に表示をＯＮ／ＯＦＦすることが可能であり、表示をＯＦＦにした場合には画像処理装置１００の電力消費を大幅に低減することができる。
【００４０】
３０は撮影した静止画像や動画像を格納するためのメモリであり、所定枚数の静止画像や所定時間の動画像を格納するのに十分な記憶量を備えている。これにより複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００４１】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００４２】
４０は絞り及びシャッター機能を備える露光制御装置１２を制御する露光制御手段である。４２は撮影レンズ１０のフォーカシングを制御する測距制御手段、４４は撮影レンズ１０のズーミングを制御するズーム制御手段、４６は振れを補正する手段である光学防振手段１０２の動作を制御する防振制御手段である。防振制御手段には電力消費は大きいが追従特性の良い通常モードと、電力消費は少ないが追従特性がやや劣るエコノミーモードがある。４８はダミー負荷であり、電池の負荷試験を行う際に用いる。
【００４３】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００４４】
５０は画像処理装置１００全体を制御するシステム制御回路、５２はシステム制御回路５０の動作用の定数、変数、プログラム等を記憶するメモリである。
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。また、表示部５４は、その一部の機能が光学ファインダー１０４内に設置されている。
【００４５】
表示部５４の表示内容のうちＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示等がある。
【００４６】
また、表示部５４の表示内容のうち光学ファインダー１０４内に表示するものとしては、合焦表示、手振れ警告表示、フラッシュ充電表示、シャッタースピード表示、絞り値表示、露出補正表示等がある。
【００４７】
５６は電気的に消去・記録可能な不揮発性メモリであり、例えばＥＥＰＲＯＭ等が用いられる。
６０，６２，６４，６６，６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４８】
ここで、これらの操作手段の具体的な説明を行う。
６０はモードダイアルスイッチであり、電源オフ、自動撮影モード、撮影モード、パノラマ繋ぎ撮り撮影モード、再生モード、マルチ画面再生・消去モード、ＰＣ接続モード等の各機能モードを切り替え設定することができる。
【００４９】
６２はシャッタースイッチＳＷ１であり、図示しないシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
６４はシャッタースイッチＳＷ２であり、図示しないシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００５０】
６６は画像表示ＯＮ／ＯＦＦスイッチであり、画像表示部２８のＯＮ／ＯＦＦを設定することができる。この機能により光学ファインダー１０４を用いて撮影を行う際に、ＴＦＴＬＣＤ等から成る画像表示部への電流供給を遮断することにより、省電力を図ることが可能となる。
６８は画質モード設定手段であり、記録画像の圧縮率やサイズ等、画質や記録容量にかかわる設定を行う。
【００５１】
７０は各種ボタンやタッチパネル等からなる操作部であり、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００５２】
８０は電源制御手段であり、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５３】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５４】
なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００５５】
インターフェース及びコネクタとしては、ＰＣＭＣＩＡカードやＣＦ（コンパクトフラッシュ（Ｒ））カード等の規格に準拠したものを用いて構成して構わない。
さらに、インタフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００５６】
１０２は画像の振れを防止する光学防振手段であり、防振制御手段４６によって制御される。
１０４は光学ファインダであり、画像表示部２８による電子ファインダー機能を使用すること無しに、光学ファインダのみを用いて撮影を行うことが可能である。また、光学ファインダー１０４内には表示部５４の一部の機能、例えば合焦表示、手振れ警告表示、フラッシュ充電表示、シャッタースピード表示、絞り値表示、露出補正表示などが設置されている。
【００５７】
１１０は通信手段であり、ＲＳ２３２ＣやＵＳＢ、ＩＥＥＥ１３９４、Ｐ１２８４、ＳＣＳＩ、モデム、ＬＡＮ、無線通信等の各種通信機能を有する。
１１２は通信手段１１０により画像処理装置１００を他の機器と接続するコネクタ或いは無線通信の場合はアンテナである。
【００５８】
２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。
２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００５９】
次に、図２のフローチャートにより本発明の第１の実施形態における動作を説明する。
まず、ステップＳ１０１において、シャッタースイッチ（ＳＷ１）６２がＯＮされた場合にはステップＳ１０２へ進み、そうでない場合にはステップＳ１０１へ戻る。そして、ステップＳ１０２では測距制御手段４２で、１つ以上の測距点で測距を行い、ステップＳ１０３へ進む。そして、ステップＳ１０３ではステップＳ１０２で行われた測距の結果に基づいて、合焦点を選択して画像表示部２８に表示してステップＳ１０４へ進む。
【００６０】
そして、ステップＳ１０４において表示モードが通常表示の場合にはステップＳ１０６へ進み、詳細表示の場合にはステップＳ１０５へ進む。なお、表示モードの設定に関しては、図示しない設定入力手段によって「表示無し」、「通常表示」、「詳細表示」等の表示種別を、ユーザーが任意に設定可能となっている。また、図２のフローチャートには示していないが、表示無しの設定の場合には全ての表示を行わないので、ステップＳ１０３の合焦点の表示も行わないように動作する。
【００６１】
そして、ステップＳ１０５では合焦点と測距結果が同じになる測距点を画像表示部２８に表示し、タイマーをスタートしてステップＳ１０６へ進む。ここで、タイマーはハードでもソフトでも良く、スタートしてから予め決められた任意の時間が経過した時に、それを制御手段に知らせることが可能となっている。なお、かかる経過時間はユーザーによって予め設定可能となっている。
【００６２】
ここで、画像表示部２８への表示例を図３を用いて説明する。図３（ａ）は外枠が画像表示部２８の表示領域になる。この表示領域に画像が表示されていて、それに重ねて合焦点や、合焦点と測距結果が同じになる測距点を表示している。なお、升目状の枠は実際には表示されないその他の測距点の位置を示す。また、図３（ｂ）のように合焦点を実線で表示し、合焦点と測距結果が同じになる測距点は破線で表示しても良い。あるいは合焦点と測距結果が同じになる測距点の線の太さを変える、線の色を変える、線の色の濃さを変える、升目内の色を変える、升目内の色の濃さを変える等の表示方法でも良い。
【００６３】
次に、ステップＳ１０６では撮影のための準備動作を行い、ステップＳ１０７へ進む。そして、ステップＳ１０７においてシャッタースイッチ（ＳＷ２）６４がＯＮされた場合にはステップＳ１０９へ進み、そうでない場合にはステップＳ１０８へ進む。そして、ステップＳ１０８において、シャッタースイッチ（ＳＷ１）６２がＯＮされてる場合にはステップＳ１１０へ進み、そうでない場合にはステップＳ１０１へ戻る。
【００６４】
そして、ステップＳ１１０においてステップＳ１０５でスタートしたタイマーが、任意の時間経過したかチェックして、既に経過していた場合にはステップＳ１１１へ進み、そうでない場合にはステップＳ１０７へ戻る。そして、ステップＳ１１１では合焦点および、合焦点と測距結果が同じになる測距点の表示を消してステップＳ１０７へ戻る。なお、表示を消すのは、合焦点と測距結果が同じになる測距点だけでも良いし、表示を消すのではなく目立たなくなるように線を細くしたり、色を薄くするのでも良い。
【００６５】
そして、ステップＳ１０９では合焦点および、合焦点と測距結果が同じになる測距点の表示を消して、ステップＳ１１２へ進む。そして、ステップＳ１１２では撮影動作を行い、ステップＳ１１３へ進む。そして、ステップＳ１１３ではステップＳ１１２で撮影した画像を記録媒体２００，２１０に記録して、ステップＳ１０７へ戻る。
【００６６】
（第２の実施形態）
次に、図４のフローチャートにより本発明の第２の実施形態を説明する。
まず、ステップＳ２０１において、シャッタースイッチ（ＳＷ１）６２がＯＮされた場合にはステップＳ２０２へ進み、そうでない場合にはステップＳ２０１へ戻る。そして、ステップＳ２０２では測距制御手段４２で、１つ以上の測距点で測距を行い、ステップＳ２０３へ進む。そして、ステップＳ２０３ではステップＳ２０２で行われた測距の結果に基づいて、合焦点を選択して画像表示部２８に表示してステップＳ２０４へ進む。
【００６７】
そして、ステップＳ２０４において表示モードが通常表示の場合にはステップＳ２０６へ進み、詳細表示の場合にはステップＳ２０５へ進む。なお、表示モードの設定に関しては、図示しない設定入力手段によって「表示無し」、「通常表示」、「詳細表示」等の表示種別を、ユーザーが任意に設定可能となっている。また、図４のフローチャートには示していないが、表示無しの設定の場合には全ての表示を行わないので、ステップＳ２０３の合焦点の表示も行わないように動作する。
【００６８】
そして、ステップＳ２０５では合焦点に対して測距結果が、やや前ピンとやや後ピンになる測距点を画像表示部２８に表示し、タイマーをスタートしてステップＳ２０６へ進む。ここで、タイマーはハードでもソフトでも良く、スタートしてから予め決められた任意の時間が経過した時に、それを制御手段に知らせることが可能となっている。なお、かかる経過時間はユーザーによって予め設定可能となっている。
【００６９】
ここで、画像表示部２８への表示例を図５を用いて説明する。図５（ａ）は外枠が画像表示部２８の表示領域になる。この表示領域に画像が表示されていて、それに重ねて合焦点や、合焦点に対して測距結果がやや前ピンとやや後ピンになる測距点を表示している。なお、升目状の枠は実際には表示されないその他の測距点の位置を示す。また、図５（ｂ）のように合焦点を実線で表示し、合焦点に対して測距結果がやや前ピンとやや後ピンになる測距点は破線で表示しても良い。あるいは合焦点に対して測距結果がやや前ピンとやや後ピンになる測距点の線の太さを変える、線の色を変える、線の色の濃さを変える、升目内の色を変える、升目内の色の濃さを変える等の表示方法でも良い。また、前ピンか後ピンの区別ができるように、上記各項目を変えても良い。
【００７０】
次に、ステップＳ２０６では撮影のための準備動作を行い、ステップＳ２０７へ進む。そして、ステップＳ２０７においてシャッタースイッチ（ＳＷ２）６４がＯＮされた場合にはステップＳ２０９へ進み、そうでない場合にはステップＳ２０８へ進む。そして、ステップＳ２０８において、シャッタースイッチ（ＳＷ１）６２がＯＮされてる場合にはステップＳ１１０へ進み、そうでない場合にはステップＳ２０１へ戻る。
【００７１】
そして、ステップＳ２１０においてステップＳ２０５でスタートしたタイマーが、任意の時間経過したかチェックして、既に経過していた場合にはステップＳ２１１ヘ進み、そうでない場合にはステップＳ２０７へ戻る。そして、ステップＳ２１１では合焦点および、合焦点に対して測距結果がやや前ピンとやや後ピンになる測距点の表示を消して、ステップＳ２０７へ戻る。なお、表示を消すのは、合焦点に対して測距結果がやや前ピンとやや後ピンになる測距点だけでも良いし、表示を消すのではなく目立たなくなるように、線を細くしたり、色を薄くするのでも良い。
【００７２】
そして、ステップＳ２０９では合焦点および、合焦点に対して測距結果がやや前ピンとやや後ピンになる測距点を消して、ステップＳ２１２へ進む。そして、ステップＳ２１２では撮影動作を行い、ステップＳ２１３へ進む。そして、ステップＳ２１３ではステップＳ２１２で撮影した画像を記録媒体２００，２１０に記録して、ステップＳ２０７へ戻る。
【００７３】
（第３の実施形態）
次に、図６のフローチャートにより本発明の第３の実施形態を説明する。
まず、ステップＳ３００では測距点を示す表示を画像表示部２８に表示して、ステップＳ３０１へ進む。そして、ステップＳ３０１において、シャッタースイッチ（ＳＷ１）６２がＯＮされた場合にはステップＳ３０２へ進み、そうでない場合にはステップＳ３０１へ戻る。そして、ステップＳ３０２では測距制御手段４２で、１つ以上の測距点で測距を行い、ステップＳ３０３へ進む。そして、ステップＳ３０３ではステップＳ３０２で行われた測距の結果に基づいて、合焦点を選択して、画像表示部２８に表示している測距点を示す表示を、合焦点であることを示す表示に変更してステップＳ３０４へ進む。
【００７４】
そして、ステップＳ３０４において表示モードが通常表示の場合にはステップＳ３０６へ進み、詳細表示の場合には、ステップＳ３０５へ進む。なお、表示モードの設定に関しては、図示しない設定入力手段によって「表示無し」、「通常表示」、「詳細表示」等の表示種別を、ユーザーが任意に設定可能となっている。また、図６のフローチャートには示していないが、表示無しの設定の場合には全ての表示を行わないので、ステップＳ３００の測距点の表示も、ステップＳ３０３の合焦点の表示も行わないように動作する。
【００７５】
そして、ステップＳ３０５では合焦点と測距結果が同じになる測距点と、合焦点に対して測距結果がやや前ピン、前ピン、やや後ピン及び後ピンになる測距点を画像表示部２８に表示している測距点を示す表示から変更して、タイマーをスタートして、ステップＳ３０６へ進む。ここで、タイマーはハードでもソフトでも良く、スタートしてから予め決められた任意の時間が経過した時に、それを制御手段に知らせることが可能となっている。なお、かかる経過時間はユーザーによって予め設定可能となっている。
【００７６】
ここで、画像表示部２８への表示例を図７を用いて説明する。図７は外枠が画像表示部２８の表示領域になる。この表示領域に画像が表示されていて、それに重ねて合焦点や、合焦点に対して測距結果がやや前ピンとやや後ピンになる測距点を表示している。なお、升目状の枠はステップＳ３００で表示する測距点表示であり、合焦点や、合焦点に対して測距結果がやや前ピンとやや後ピンになる測距点等の表示とは異なる表示となる。
【００７７】
ここで、合焦点は太い実線表示に変更し、合焦点と測距結果が同じになる測距点は合焦点と同じ太い実線表示に変更し、合焦点に対して測距結果がやや前ピンになる測距点は破線表示に変更し、それより前ピンになる測距点は点線表示に変更する。また、合焦点に対して測距結果が、やや後ピンになる測距点は中程度の太さの実線表示に変更し、それより後ピンになる測距点は細い実線表示に変更して、合焦点、前ピン点、後ピン点がひと目でわかるようにする。また、線の色を変える、線の色の濃さを変える、升目内の色を変える、升目内の色の濃さを変える等の表示方法でも良い。
【００７８】
次に、ステップＳ３０６では撮影のための準備動作を行い、ステップＳ３０７へ進む。そして、ステップＳ３０７においてシャッタースイッチ（ＳＷ２）６４がＯＮされた場合にはステップＳ３０９へ進み、そうでない場合にはステップＳ３０８へ進む。そして、ステップＳ３０８において、シャッタースイッチ（ＳＷ１）がＯＮされてる場合にはステップＳ３１０へ進み、そうでない場合にはステップＳ３００へ戻る。
【００７９】
そして、ステップＳ３１０においてステップＳ３０５でスタートしたタイマーが、任意の時間経過したかチェックして、既に経過していた場合にはステップＳ３１１へ進み、そうでない場合にはステップＳ３０７へ戻る。そして、ステップＳ３１１では合焦点及び、合焦点に対して測距結果がやや前ピンとやや後ピンになる測距点の表示を、ステップＳ３００で表示する測距点の表示に戻して、ステップＳ３０７へ戻る。なお、表示を戻すのは、合焦点に対して測距結果がやや前ピンとやや後ピンになる測距点だけでも良い。
【００８０】
そして、ステップＳ３０９では合焦点及び、合焦点に対して測距結果がやや前ピンとやや後ピンになる測距点を消して、ステップＳ３１２へ進む。そして、ステップＳ３１２では撮影動作を行い、ステップＳ３１３へ進む。そして、ステップＳ３１３ではステップＳ３１２で撮影した画像を記録媒体２００，２１０に記録して、ステップＳ３０７へ戻る。
【００８１】
ここで、上記様々な実施形態に示した各機能ブロックおよび処理手順は、ハードウェアにより構成しても良いし、ＣＰＵあるいはＭＰＵ、ＲＯＭおよびＲＡＭ等からなるマイクロコンピュータシステムによって構成し、その動作をＲＯＭやＲＡＭに格納された作業プログラムに従って実現するようにしても良い。また、上記各機能ブロックの機能を実現するように当該機能を実現するためのソフトウェアのプログラムをＲＡＭに供給し、そのプログラムに従って上記各機能ブロックを動作させることによって実施したものも、本発明の範疇に含まれる。
【００８２】
この場合、上記ソフトウェアのプログラム自体が上述した各実施形態の機能を実現することになり、そのプログラム自体、及びそのプログラムをコンピュータに供給するための手段、例えばかかるプログラムを格納した記録媒体は本発明を構成する。かかるプログラムを記憶する記憶媒体としては、上記ＲＯＭやＲＡＭの他に例えばフレキシブルディスク、ハードディスク、光ディスク、光磁気ディスク、ＣＤ−ＲＯＭ、ＣＤ−Ｉ、ＣＤ−Ｒ、ＣＤ−ＲＷ、ＤＶＤ、ｚｉｐ、磁気テープ、あるいは不揮発性のメモリカード等を用いることができる。
【００８３】
また、コンピュータが供給されたプログラムを実行することにより、上述の実施形態の機能が実現されるだけでなく、そのプログラムがコンピュータにおいて稼働しているＯＳ（オペレーティングシステム）あるいは他のアプリケーションソフト等の共同して上述の実施形態の機能が実現される場合にもかかるプログラムは本発明の実施形態に含まれることは言うまでもない。
【００８４】
さらに、供給されたプログラムがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれることは言うまでもない。
【００８５】
【発明の効果】
以上説明したように本発明によれば、被写体との距離を測定可能な１つ以上の測距点で測距を行い、測距結果に基づいて合焦点を選択し、合焦点及び合焦点と測距結果が同じになる測距点を表示することで、ピントの合う点をユーザーに知らせる。また、測距結果が合焦点よりも近側になる測距点の表示と、合焦点よりも遠側になる測距点の表示を、合焦点表示と異なる表示で表示することで、ピントの状態がユーザーに分かり易く、合焦表示を任意の期間だけ表示することで、合焦確認後はファインダーに集中できるデジタルカメラを提示することが可能となる。
【図面の簡単な説明】
【図１】本発明の実施形態における構成例を示すブロック図である。
【図２】本発明の第１の実施形態における動作のフローチャートである。
【図３】本発明に係る表示手段の第１の表示例を示す図である。
【図４】本発明の第２の実施形態における動作のフローチャートである。
【図５】本発明に係る表示手段の第２の表示例を示す図である。
【図６】本発明の第３の実施形態における動作のフローチャートである。
【図７】本発明に係る表示手段の第３の表示例を示す図である。
【符号の説明】
１０：撮影レンズ、１２：シャッター、１４：撮像素子、１６：Ａ／Ｄ変換器　、１８：タイミング発生回路、２０：画像処理回路、２２：メモリ制御回路、２４：画像表示メモリ、２６：Ｄ／Ａ変換器、２８：画像表示部、３０：メモリ、３２：画像圧縮・伸長回路、４０：露光制御手段、４２：測距制御手段、４４：ズーム制御手段、４６：防振制御手段、４８：ダミー負荷、５０：システム制御回路、５２：メモリ、５４：表示部、５６：不揮発性メモリ、６０：モードダイアルスイッチ、６２：シャッタースイッチＳＷ１、６４：シャッタースイッチＳＷ２、６６：画像表示ＯＮ／ＯＦＦスイッチ、６８：画質モードスイッチ、７０：操作部、８０：電源制御手段、８２：コネクタ、８４：コネクタ、８６：電源手段、９０：インタフェース、９２：コネクタ、９４：インタフェース、９６：コネクタ、９８：記録媒体着脱検知手段、１００：画像処理装置、１０２：光学防振手段、１０４：光学ファインダ、１１０：通信手段、１１２：コネクタ（またはアンテナ）、２００：記録媒体、２０２：記録部、２０４：インタフェース、２０６：コネクタ、２１０：記録媒体、２１２：記録部、２１４：インタフェース、２１６：コネクタ。
【図１】
2004096641.tif 000003
【図２】
2004096641.tif 000004
【図３】
2004096641.tif 000005
【図４】
2004096641.tif 000006
【図５】
2004096641.tif 000007
【図６】
2004096641.tif 000008
【図７】
2004096641.tif 000009